(57)【要約】    【課題】  柔構造をもった新規なカーテンウォール遮水版を提供すること。更に、建設の容易さ、取水口の高さの変更の容易さ、保守管理の容易さ等の特徴を有する柔構造をもった新規なカーテンウォール遮水版を提供すること。    【解決手段】  この上部固定式カーテンウォール遮水膜組立体は、可撓性を有する遮水膜と、この遮水膜を吊して海底から所定の高さｈに位置決めする支持部材とを備え、遮水膜の下方に所定の高さの取水口を形成して、比較的低温の深層水を選択的に取水する。【選択図】  図６
2006161372.tif 000002
【特許請求の範囲】
【請求項１】
可撓性を有する遮水膜と、
前記遮水膜を吊して、水底から所定の高さに位置決めする支持部材とを備えた上部固定式カーテンウォール遮水膜組立体。
【請求項２】
請求項１に記載の上部固定式カーテンウォール遮水膜組立体において、
前記水底は海底であり、
前記遮水膜の下方に所定の高さの取水口を形成して、比較的低温の深層水を選択的に取水する、遮水膜組立体。
【請求項３】
請求項１に記載の上部固定式カーテンウォール遮水膜組立体において、
上部固定式カーテンウォール遮水膜組立体は、少なくとも二列の護岸の間を亘るように設置されている、遮水膜組立体。
【請求項４】
請求項１に記載の上部固定式カーテンウォール遮水膜組立体において、
前記遮水膜は、複数枚の遮水膜単体を横方向に分離可能な連結手段により連結して形成されている、遮水膜組立体。
【請求項５】
請求項１に記載の上部固定式カーテンウォール遮水膜組立体において、
前記遮水膜は、遮水膜保持部材から取り外し可能であって且つ前記遮水膜が動揺可能な懸垂部材によって吊り下げられている、遮水膜組立体。
【請求項６】
請求項５に記載の上部固定式カーテンウォール遮水膜組立体において、
前記懸垂部材はヒンジ構造をなしている、遮水膜組立体。
【請求項７】
請求項１に記載の上部固定式カーテンウォール遮水膜組立体において、
前記遮水膜は、遮水膜保持部材から取り外し可能な懸垂部材によって吊り下げられ、
前記遮水膜保持部材は、頭部カバーで覆われ固定されている、遮水膜組立体。
【請求項８】
請求項１に記載の上部固定式カーテンウォール遮水膜組立体において、
前記遮水膜は、その下端部に重量調整用ウエイトを有している、遮水膜組立体。
【請求項９】
請求項８に記載の上部固定式カーテンウォール遮水膜組立体において、
前記重量調整用ウエイトはその重量が可変である、遮水膜組立体。
【請求項１０】
請求項１に記載の上部固定式カーテンウォール遮水膜組立体において、
前記遮水膜は、それ自体が柔軟な屈曲可能な構造を有する素材からなり、可撓性を有している、遮水膜組立体。
【請求項１１】
請求項１に記載の上部固定式カーテンウォール遮水膜組立体において、前記支持部材は、
複数本の脚部と、
概して相互に平行に延在してこれら脚部を相互に連結する脚部連結部材と、
前記脚部連結部材間を亘る遮水膜保持部材とを有し、
前記遮水膜は、前記遮水膜保持部材により懸垂部材を介して吊り下げられている、遮水膜組立体。
【請求項１２】
請求項１に記載の上部固定式カーテンウォール遮水膜組立体において、
前記脚部、脚部連結部材及び遮水膜保持部材は、腐食しないように重防食処理が施されている鋼管からなっている、遮水膜組立体。
【請求項１３】
請求項１２に記載の上部固定式カーテンウォール遮水膜組立体において、
前記脚部は、コンクリートで巻いた杭基礎により海底に固定されている、遮水膜組立体。
【請求項１４】
遮水膜の上端部を動揺自在に支持し、下端部を自由端とし、
前記遮水膜の下方に取水口を形成した、上部固定式カーテンウォール遮水膜組立体。
【請求項１５】
請求項１４に記載の上部固定式カーテンウォール遮水膜組立体において、
前記遮水膜は、可撓性を有している、遮水膜組立体。
【請求項１６】
請求項１４に記載の上部固定式カーテンウォール遮水膜組立体において、
前記遮水膜の上端部はヒンジ構造により支持部材から吊り下がっている、遮水膜組立体。
【請求項１７】
上部固定式カーテンウォール遮水膜組立体の組立方法において、
鋼管杭を海底に打ち込み脚部を形成するステップと、
前記脚部の頭部同士を鋼管で連結して脚部連結部材を形成するステップと、
予め組み立てられた遮水膜保持部材、懸垂部材及び遮水膜を、前記脚部連結部材に設置するステップと、
隣接する遮水膜を連結部材で接続するステップとを含む、組立方法。
【請求項１８】
海岸線に対して概して垂直に海洋に向かって建造された少なくとも２列の護岸と、
前記護岸間に亘って設置された請求項１又は１４に記載の上部固定式カーテンウォール遮水膜組立体と、
前記上部固定式カーテンウォール遮水膜組立体を介して流入する深層水を貯える貯水プールと、
前記貯水プールの一部に設けられ、前記深層水を冷却水として導く冷却水導入口とを備えた、取水口建造物。
【発明の詳細な説明】
【技術分野】
【０００１】
本発明は、上部固定式カーテンウォール遮水膜組立体に関し、更に具体的には、例えば、発電プラント等において利用される冷却水の取水口に使用して好適な上部固定式カーテンウォール遮水膜組立体に関する。
【背景技術】
【０００２】
火力発電所及び原子力発電所のような発電プラントでは、蒸気流でタービン発電機を駆動して発電している。発電タービンは、入り口の蒸気圧と出口の蒸気圧との差で回転するため、タービン発電機駆動後の蒸気流を水に戻すことで出口の蒸気圧を下げることが不可欠である。このため、蒸気流をボイラ設備又は原子炉に戻す前に、多くは海水を冷却水として利用した復水器でこの蒸気流を冷却して水にしている。
【０００３】
従って、冷却水の取水は発電所プラントに近い海域で行われ、取水された比較的低温の海水は貯水プール又は復水貯蔵槽に貯水されて利用される。このとき、冷却水としての海水は、海水の内でも比較的深層から比較的低温の海水を取水することが好ましい。比較的浅層の比較的高温の海水を排除して、比較的低温の海水を選択的に利用することにより、タービン効率を向上し、利用後も比較的低温である温排水によれば環境への影響は減少し、比較的浅層の海水に含まれる浮遊塵芥、汚染物、プランクトン、貝類等の発電プラントへの流入を排除することができる。
【０００４】
なお、本出願書類で、用語「深層の海水」，「深層水」とは、一般に深層水と呼ばれ、近年、飲料等に利用されている水深２００ｍ程度より深い部分の海水のみ限定的に指称しているのではない。このような一般に深層水と呼ばれる海水のみならず、相対的に水深の深い、相対的に水温が低い海水一般をも含んだ広い概念であることに注意されたい。
【０００５】
従来、冷却水を海洋から取水するとき、比較的深層の低温の海水を選択的に取水するための取水口として、重力式構造の取水口が知られている。従来の重力式構造の取水口は、遮水板に作用する波力を、組杭によって受け止めて支持する剛構造で構成されていた。
【０００６】
例えば、下記特許文献１の図４及び図５には、添付図面の図１及び図２に示すような２つのタイプの重力式構造のカーテンウォール式取水口の杭式構造が紹介されている。ここでは、符号３がカーテンウォール、４が遮水板（ＰＣ版）、５が鋼管杭、６が底版コンクリートである。
【０００７】
「剛構造」とは、防波堤のように、波浪エネルギーに対抗して不動状態を維持し、到達した波浪の伝搬を防ぐ機能をもった構造をいう。この剛構造の重力式構造の取水口を実現するためには、大規模で堅牢な杭打設工事、堅牢な遮水板を必要とし、その建設のための所用の日数、費用等も非常に大きなものであった。
【０００８】
しかし、取水口として必要な機能は、到達した波浪の伝搬を遮断する機能ではなく、比較的深層の低温の海水を選択的に取水する機能である。従って、取水口を到達した波浪の伝搬を遮断する剛構造で構築することは、本来の目的から検討すると、不必要なことである。
【０００９】
そこで、取水口の構造を、到達する波浪と共に遮水板が動揺して波浪の伝搬の透過を許容するような柔構造のカーテンウォール遮水板にすることが提案されている。
【００１０】
ここで、「柔構造」とは、波浪エネルギーに追従して可動状態にあり、到達した波浪の伝搬を実質的に透過する機能をもった構造をいう。
【００１１】
ここで、「カーテンウォール」とは、元来、建築分野の用語であり、工場で生産した部材を現場で組み立ててつくる外壁であって、鉄筋コンクリート建造物の壁のように壁で荷重を支える役割を持たない壁を指称する。即ち、用語「カーテンウォール」は、耐力壁(bearing wall)に対する概念であって、建築物の高層化に伴い、プレハブ化された外周壁の意味が定着したものである。転じて、本出願書類では、明細書取水口の遮水板に関して、プレハブ化されたものに対して使用する。
【特許文献１】本発明者等は、本出願人等の一社が平成１３年９月１４日に特願２００１−２８０１９７として出願し、平成１５年３月２８日に特開２００３−９００２９として出願公開された、発明の名称「冷却水のための取水口」に関して承知している。
【発明の開示】
【発明が解決しようとする課題】
【００１２】
上述したように、従来の剛構造のカーテンウォール式取水口は、大規模で堅牢な杭打設工事を必要とし、そのため工事の所用の日数、費用等も非常に大きなものであった。これを、比較的深層の低温の海水を選択的に取水する機能を持たせた簡易な柔構造のカーテンウォール式取水口を採用することで、工事の所用の日数、費用等を大幅に削減することが望まれていた。
【００１３】
ここで、前掲特開２００３−９００２９に開示する「冷却水のための取水口」は、柔構造のカーテンウォール式取水口の一種である。特開２００３−９００２９の図１及び図２には、添付図面の図３及び図４に示すような柔構造のカーテンウォール式取水口が紹介されている。ここでは、符号２は水路口（本願の「貯水プール」に相当する。）、７は遮水板（ＰＣ版）、８は枢支部、９はアンカー（ボックスカルバート）、１０は深層水取水用の開口部、１１は枢支部、１２は浮体、１３は連結部材である。
【００１４】
しかし、その後の本発明者等による研究により、柔構造のカーテンウォール式取水口には、種々の構造が実現できることが判明した。
【００１５】
また、各種の柔構造のカーテンウォール式取水口を研究してみると、夫々、遮水板の構造、遮水板の位置決め手段、建設の容易さ、取水口の高さの変更の容易さ、保守管理の容易さ等において、他の柔構造のカーテンウォール式取水口では実現できない特徴、利点等が存在することが判明した。
【課題を解決するための手段】
【００１６】
従って、本発明は、柔構造をもった新規な遮水版組立体を提供することを目的とする。
【００１７】
更に、本発明は、建設の容易さ、取水口の高さの変更の容易さ、保守管理の容易さ等の特徴を有する柔構造をもった新規な遮水版組立体を提供することを目的とする。
【００１８】
本発明に係る上部固定式カーテンウォール遮水膜組立体は、可撓性を有する遮水膜と、前記遮水膜を吊して、水底から所定の高さに位置決めする支持部材とを備えている。
【００１９】
更に、本発明に係る上部固定式カーテンウォール遮水膜組立体は、上述の遮水膜組立体であって、前記水底は海底であり、前記遮水膜の下方に所定の高さの取水口を形成して、比較的低温の深層水を選択的に取水する。
【００２０】
更に、本発明に係る上部固定式カーテンウォール遮水膜組立体は、上述の遮水膜組立体であって、上部固定式カーテンウォール遮水膜組立体は、少なくとも二列の護岸の間を亘るように設置されている。
【００２１】
更に、本発明に係る上部固定式カーテンウォール遮水膜組立体は、上述の遮水膜組立体であって、前記遮水膜は、複数枚の遮水膜単体を横方向に分離可能な連結手段により連結して形成されている。
【００２２】
更に、本発明に係る上部固定式カーテンウォール遮水膜組立体は、上述の遮水膜組立体であって、前記遮水膜は、遮水膜保持部材から取り外し可能であって且つ前記遮水膜が動揺可能な懸垂部材によって吊り下げられている。
【００２３】
更に、本発明に係る上部固定式カーテンウォール遮水膜組立体は、上述の遮水膜組立体であって、前記懸垂部材はヒンジ構造をなしている。
【００２４】
更に、本発明に係る上部固定式カーテンウォール遮水膜組立体は、上述の遮水膜組立体であって、前記遮水膜は、遮水膜保持部材から取り外し可能な懸垂部材によって吊り下げられ、前記遮水膜保持部材は、頭部カバーで覆われ固定されている。
【００２５】
更に、本発明に係る上部固定式カーテンウォール遮水膜組立体は、上述の遮水膜組立体であって、前記遮水膜は、その下端部に重量調整用ウエイトを有している。
【００２６】
更に、本発明に係る上部固定式カーテンウォール遮水膜組立体は、上述の遮水膜組立体であって、前記重量調整用ウエイトはその重量が可変である。
【００２７】
更に、本発明に係る上部固定式カーテンウォール遮水膜組立体は、上述の遮水膜組立体であって、前記遮水膜は、それ自体が柔軟な屈曲可能な構造を有する素材からなり、可撓性を有している。
【００２８】
更に、本発明に係る上部固定式カーテンウォール遮水膜組立体は、上述の遮水膜組立体であって、前記支持部材は、複数本の脚部と、概して相互に平行に延在してこれら脚部を相互に連結する脚部連結部材と、前記脚部連結部材間を亘る遮水膜保持部材とを有し、前記遮水膜は、前記遮水膜保持部材により懸垂部材を介して吊り下げられている。
【００２９】
更に、本発明に係る上部固定式カーテンウォール遮水膜組立体は、上述の遮水膜組立体であって、前記脚部、脚部連結部材及び遮水膜保持部材は、腐食しないように重防食処理が施されている鋼管からなっている。
【００３０】
更に、本発明に係る上部固定式カーテンウォール遮水膜組立体は、上述の遮水膜組立体であって、前記脚部は、コンクリートで巻いた杭基礎により海底に固定されている。
【００３１】
更に、本発明に係る上部固定式カーテンウォール遮水膜組立体は、遮水膜の上端部を動揺自在に支持し、下端部を自由端とし、前記遮水膜の下方に取水口を形成している。
【００３２】
更に、本発明に係る上部固定式カーテンウォール遮水膜組立体は、上述の遮水膜組立体であって、前記遮水膜は、可撓性を有している。
【００３３】
更に、本発明に係る上部固定式カーテンウォール遮水膜組立体は、上述の遮水膜組立体であって、前記遮水膜の上端部はヒンジ構造により支持部材から吊り下がっている。
【００３４】
更に、本発明に係る上部固定式カーテンウォール遮水膜組立体の組立方法は、鋼管杭を海底に打ち込み脚部を形成するステップと、前記脚部の頭部同士を鋼管で連結して脚部連結部材を形成するステップと、予め組み立てられた遮水膜保持部材、懸垂部材及び遮水膜を、前記脚部連結部材に設置するステップと、隣接する遮水膜を連結部材で接続するステップとを含む。
【００３５】
更に、本発明に係る取水口建造物は、海岸線に対して概して垂直に海洋に向かって建造された少なくとも２列の護岸と、前記護岸間に亘って設置された上述の上部固定式カーテンウォール遮水膜組立体と、前記上部固定式カーテンウォール遮水膜組立体を介して流入する深層水を貯える貯水プールと、前記貯水プールの一部に設けられ、前記深層水を冷却水として導く冷却水導入口とを備えている。
【発明の効果】
【００３６】
本発明によれば、柔構造をもった新規な上部固定式カーテンウォール遮水膜組立体を提供することができる。
【００３７】
更に、本発明によれば、建設の容易さ、取水口の高さの変更の容易さ、保守管理の容易さ等の特徴を有する柔構造をもった新規な上部固定式カーテンウォール遮水膜組立体を提供することができる。
【発明を実施するための最良の形態】
【００３８】
以下、本発明に係る上部固定式カーテンウォール遮水膜組立体の実施の形態について、添付の図面を参照して詳細に説明する。図面中の同じ部材に対しては同じ符号を付与して重複した説明を省略する。
【００３９】
最初に、上部固定式カーテンウォール遮水膜組立体２０のイメージを容易に把握できるようにするため、全体的に概説する。
【００４０】
図５は上部固定式カーテンウォール遮水膜組立体２０を上方から見た平面図、図６はその正面図、図７は図５のＩ−Ｉ方向から見た断面図、図８は遮水膜単体を説明するための拡大斜視図である。上部固定式カーテンウォール遮水膜組立体２０は、陸地に近い、典型的には海底である水底に設置されている。
【００４１】
図５では、図面の上側が海洋３８の沖方向であり、下側が陸地３９の方向である。矢印の向きは、波が陸地に向かって押し寄せている方向である。波の押し寄せる方向に概して平行に、二列の護岸２１，２２が施工され、これらの護岸２１，２２の間を亘るように上部固定式カーテンウォール遮水膜組立体２０が設置されている。
【００４２】
上部固定式カーテンウォール遮水膜組立体は、海底に対して概して垂直方向に配置され、海面から所定の位置（海底から所望の高さｈ）に至るまでを遮水膜で覆って海水の流入を阻止し、その下方に取水口を形成して深層水を選択的に取水している。そのため、遮水膜は、適当な支持部材を使って所望の位置に位置決めする必要がある。この支持部材２７に関しては、図８に関連して後で詳しく説明する。図７に示すように、支持部材で支持された遮水膜２５は、波浪に追従して懸垂部材３４を中心に動揺する構造となっている。
【００４３】
全体的なイメージが把握できた段階で、この上部固定式カーテンウォール遮水膜組立体２０の詳細に関して図面を追って説明する。図５の平面図に示すように、海岸線（図示せず。）に概して垂直方向に、二列の護岸２１，２２が建設されている。これら護岸２１，２２の間を亘って、上部固定式カーテンウォール遮水膜組立体２０が、矢印で示す波の押し寄せる方向に対して概して垂直方向に設置されている。遮水膜組立体２０の下方は、陸地との間に貯水プール４０が形成されている。これら護岸は二列に限定されず、三列（図９参照）又はそれ以上であってもよい。なお、遮水膜組立体２０は、例えば数百メートルというように非常に長いため、その一部を省略して図示している。
【００４４】
図８では図面を簡単にして支持部材２７の構造を見易くするため、遮水膜単体２５-1を示していが、遮水膜２５は、複数枚の遮水膜単体２５-1を横方向に連結して形成されている。各遮水膜単体２５-1は、相互に平行な２本の脚部連結部材３０，３１の間をつなぐ遮水膜保持部材３２から、懸垂部材３４によって吊り下げられている。図５に示すように、遮水膜保持部材３２は典型的にはコンクリートで形成された頭部カバー３３（図８では省略。）で覆われ固定されている。
【００４５】
図６を参照されたい。図中、符号３５は現在の海面であり、H.W.L.は満潮時水位(High Water Level)であり、L.W.L.は干潮時水位(Low Water Level)である。海面３５はこれらH.W.L.とL.W.L.の間を循環的に変化している。複数枚の遮水膜単体２５-1から成る遮水膜２５が、その上端部が常時海面から僅かに現れるように、支持部材２７によって吊り下げられている。
【００４６】
上部固定式カーテンウォール遮水膜組立体２０の必須機能は、取水水深の確保、即ち、遮水膜２５によって海面３５から所望の位置（海底２４から高さｈ）までの範囲を覆い、その下方に取水口２６を形成し、こうして比較的高温の浅層海水の流入を阻止しながら比較的低温の深層海水を取水口２６から選択的に取水することにある。
【００４７】
このため、浅層の比較的高温の海水の流入をせき止めるように複数個の遮水膜単体２５-1が横方向に一列状に配置され、遮水膜（遮水膜組立体）２５を構成している。横方向両端部の遮水膜単体２５-1は、適当な接続手段によってその隣の護岸２１，２２に夫々接続される。隣接する遮水膜単体２５-1は、適当な連結手段（図示せず。）によって相互に連結されている。遮水膜２５は、適当な支持部材２７から分離可能な係合手段３４を介して、海底２４から所望の高さｈに位置決めされている。
【００４８】
図７（Ａ）は図５に示す上部固定式カーテンウォール遮水膜組立体２０のＩ−Ｉ方向断面図であり、図７（Ｂ）はその代替例である。図７（Ａ）に示すように、遮水膜保持部材３２に対して遮水膜２５は、好ましくはヒンジ構造の様な懸垂部材３４によって、懸垂されている（即ち、吊り下げられている）。この懸垂部材３４は、遮水膜２５を懸垂し、遮水膜２５が波浪に追従して動揺可能であれば、任意の懸垂部材３４を使用することが出来る。好ましくは、懸垂部材３４は取り外し可能である。
【００４９】
遮水膜単体２５-1は、遮水膜保持部材３２に対して夫々独立に懸垂される。隣接する遮水膜単体２５-1は、例えばチェーン，ファスナー等のような適当な連結手段（図示せず。）により連結されている。連結手段は、ワイヤ、チェーン等のような部材でもよく、或いは、ファスナーのような部材でもよい。実質的に、遮水膜単体２５-1の間からの漏水を封じる機能を果たせれば、任意の手段を採用できる。
【００５０】
更に、隣接する遮水膜単体２５-1の連結手段は、分離可能であることが好ましい。係合手段３４及び連結手段が取り外し可能であることにより、損傷した遮水膜２５を単体で交換することができる。更に、遮水膜単体２５-1が交換可能なことより、種々の長さ遮水膜を予め用意しておくことにより、海面が大きく変化した場合等に変化した海面に適合する遮水膜に交換して取水口の高さｈを確保することも出来る。
【００５１】
図７（Ｂ）に示すように遮水膜の下端部に適当な重量調整用ウエイトを設けることも出来る。遮水膜２５の重量、材料等によるが、波浪により遮水膜２５が大きく跳ね上げられて取水口の高さｈが大幅に変動するようであれば、この重量調整用ウエイトを用いることで、変動を抑制することが出来る。重量調整用ウエイトを調整可能にして、波浪強度が大きく変化した場合等に対応することが出来るようにしてもよい。
【００５２】
本実施形態に係る上部固定式カーテンウォール遮水膜組立体２０は、次のような特徴を有している。図１及び２に関連して説明した従来の剛構造の遮水版は、波浪エネルギーに対抗して不動状態を維持して、到達した波浪の伝搬を阻止していた。しかし、本実施形態に係る柔構造の遮水膜２５は、到達した波浪の伝搬を阻止するのではなく、懸垂部材３４を枢軸に動揺して波浪を伝搬することにより波浪エネルギーを実質的に透過しつつ、浅層の比較的高温の海水の流入を遮断し、深層の比較的低温の海水の流入を選択的に許容している。
【００５３】
本発明者等は、取水口の遮水版として、従来のような剛構造の遮水版ではなく、新規な素材として遮水膜も使用できることを発見したのである。即ち、前掲特許文献１に開示された遮水版も波浪に追従して動揺する柔構造の取水口を構成しているが、遮水版自体は剛体から作られている。これに対して、本実施形態に係る遮水膜２５は、それ自体が柔軟な屈曲可能な構造を有する素材からなり、可撓性を有した遮水膜である。
【００５４】
更に、この遮水膜２５-1の上端部は懸垂部材３４を介して支持部材２７に固定されているが、下端部は自由端となり、波力によって加わる応力を部分的に解放している。従って、遮水膜２５-1は波力を受けたとき、一端固定の遮水膜自体の形状が波力に追従して柔軟に屈曲して波力を分散して部分的に吸収し且つ部分的に解放し、結果的に支持部材２７に加わる水平方向力ｆを大幅に軽減することが期待できる。
また、遮水膜自体が可撓性を有していること、必要に応じて、適当な重量調整用ウエイト３６を選択出来ること等により、遮水膜２５の振れ角αを所望に範囲に抑えることが期待できる。
【００５５】
本発明者等は、上部固定式カーテンウォール遮水膜組立体２０の重要な設計条件として、この水平方向作用力ｆと遮水膜２５の振れ角αに注目している。水平方向作用力ｆは、脚部２８，２９の強度決定を決定するために重要であり、遮水膜２５の振れ角αは、脚部２８，２９の設置角度を決定するために重要であるからである。
【００５６】
その結果、遮水膜２５自体の必要強度、これを支える支持部材２７の必要強度を大幅に低減することが出来る。従来の剛構造の遮水版又は柔構造の取水口を構成する剛性の遮水版に比較して、支持部材も簡便な部材で足り、必要な大規模で堅牢な杭打設工事、堅牢な遮水膜を不要とし、その建設のための所用の日数、費用等を低減することが可能になる。
【００５７】
図８に示すように、支持部材２７は、複数本の脚部２８，２９と、概して相互に平行に延在してこれら脚部を相互に連結する脚部連結部材３０，３１と、脚部連結部材間を亘る遮水膜保持部材３２とから成っている。遮水膜２５が、この遮水膜保持部材３２により懸垂部材４３を介して吊り下げられている。同時に図５を参照すると分かりやすいが、脚部２８，２９は、例えば、鋼管杭からなり、海方向の各鋼管杭２９は陸地方向に傾き、陸地方向の各鋼管杭２８は海方向に傾いた斜杭となっている。脚部連結部材３０，３１及び遮水膜保持部材３２は、例えば、鋼管からなる。これら支持部材２７は、好ましくは、海水の塩分に対して腐食しないように重防食処理が施されている。鋼管杭からなる脚部２８，２９は、海底２４に固定される。所望により、脚部２８，２９は、コンクリートで巻いた杭基礎（図示せず。）により海底２４に固定してもよい。
【００５８】
遮水膜２５の下端部と海底２４との距離ｈを予め決定して、支持部材２７、遮水膜等の寸法を算出することにより、遮水膜２５の下端部と海底２４の間に、比較的低温の深層の水のみを選択的に取水する取水口を形成することができる。
【００５９】
図９（Ａ）は、上部固定式カーテンウォール遮水膜組立体２０が設置された海岸を全体的に上方から見た図であり、図９（Ｂ）は、図９（Ａ）のＩ−Ｉ線断面図である。図９（Ａ）で見て、海岸線３７から上半分は海面３８であり、下半分は陸地３９である。矢印は波の押し寄せる方向を示している。海岸線３７にほぼ垂直方向に、三箇所の護岸工事２１，２２，２３がなされ、これら護岸の各先端部をつなぐように上部固定式カーテンウォール遮水膜組立体２０が設置されている。海の沖方向から比較的低温の深層水が上部固定式カーテンウォール遮水膜組立体２０の取水口を通って、貯水プール（「取水庭」ともいう。）４０に蓄えられる。貯水プール４０の陸地方向には、貯水プール形成のための護岸２４が建設されている。
【００６０】
これら護岸２４の一部に、冷却水導入口４１が設けられ、貯水プール４０に蓄えられた深層水を冷却水として、火力発電又は原子力発電プラントの復水器（図示せず。）に導かれている。冷却水として利用された深層水は、取水とは別ルートの放水ルートを通って海域に温排水として放流される。
【００６１】
上部固定式カーテンウォール遮水膜組立体の建設及び保守に関して説明する。建設時には、ウォータジェット併用してパイブロハンマーを使用して、鋼管杭２８，２９を海底２４に打ち込む。鋼管杭を打設した後、頭部同士を鋼管３０，３１で連結する。予め、遮水膜保持部材３２である鋼管、懸垂部材３４及び遮水膜２５を組み立てておいて、起重機船により、これを杭頭部に設置する。その後、杭頭部を、コンクリート３３で固定する。隣接する遮水膜２５を連結部材（図示せず。）で接続する。
【００６２】
建設後の保守時には、懸垂部材（ヒンジ構造）３４及び遮水膜２５は、夫々交換可能であるので、損傷した又は所定の期間経過した懸垂部材３４及び遮水膜２５は個別的に交換される。
【００６３】
本実施形態に係る上部固定式カーテンウォール遮水膜組立体によれば、以上に説明した利点に加えて、従来の遮水膜に比較して次のような利点がある。
(1)遮水膜に対する波力が大幅に低減されることにより、脚部として使用する杭本数を減少でき、遮水膜組立体建設の初期投資を抑制することができる。
(2)遮水膜が波に追従して動揺する構造であるため、遮水膜による波の反射が少なく、周辺海域に対する影響を小さくすることができる。
(3)脚部として使用する杭本数を減少することができるため、遮水版下方の取水口２６の有効幅が増加する。このため、所望の取水口面積を確保する場合、必要水深または幅が小さくなり、その地点の浚渫量を減少することができる。これにより、当該海域の環境への影響を減らすことが出来る。
【００６４】
以上、本発明に係る上部固定式カーテンウォール遮水膜組立体の実施形態について説明したが、本発明は上述した実施形態に限定されない。本発明の用途は、発電プラントの冷却水取得に限定されない。その他の用途、例えば、飲料用の深層水取得の取水口、海水の温度差を利用した海水発電所における低温海水取得の取水口等に対しても利用できる。当業者は、種々の改変・改良を容易になし得るが、これらは全て本発明に含まれる。本発明の技術的範囲は、特許請求の範囲の記載に基づいて定められる。
【図面の簡単な説明】
【００６５】
【図１】図１は、従来の重力式構造のカーテンウォール式取水口の杭式構造を説明する図である。
【図２】図２は、従来の重力式構造の他のタイプのカーテンウォール式取水口の杭式構造を説明する図である。
【図３】図３は、図４と共に従来の柔構造のカーテンウォール式取水口を説明する図である。
【図４】図４は、図３と共に従来の柔構造のカーテンウォール式取水口を説明する図である。
【図５】図５は、本実施形態に係る上部固定式カーテンウォール遮水膜組立体を上方から見た平面図である。
【図６】図６は、図５に示す上部固定式カーテンウォール遮水膜組立体の正面図である。
【図７】図７（Ａ）は図５に示す上部固定式カーテンウォール遮水膜組立体のＩ−Ｉ方向断面図であり、図７（Ｂ）はその代替例である。
【図８】図８は、図５に示す上部固定式カーテンウォール遮水膜組立体を構成する遮水膜単体を説明するための拡大斜視図である。
【図９】図９（Ａ）は、図５に示す上部固定式カーテンウォール遮水膜組立体が設置された海岸を全体的に上方から見た図であり、図９（Ｂ）は、図９（Ａ）のＩ−Ｉ線断面図である。
【符号の説明】
【００６６】
２：水路口、  ３：カーテンウォール、  ４：遮水板（ＰＣ版）、  ５：鋼管杭、  ６：底版コンクリート、  ７：遮水板（ＰＣ版）、  ８：枢支部、  ９：アンカー（ボックスカルバート）、  １０：深層水取水用の開口部、１１：枢支部、  １２：浮体、１３：  連結部材、  ２０：上部固定式カーテンウォール遮水膜組立体、  ２１，２２，２３：護岸、  ２４：海底、  ２５：遮水膜、  ２５-1：遮水膜単体、  ２６：取水口、  ２７：支持部材、  ２８：脚部（鋼管杭）、  ２９：脚部（鋼管杭）、  ３０，３１：脚部連結部材（鋼管）、  、  ３２：遮水膜保持部材、  ３３：頭部カバー、  ３４：懸垂部材、  ３５：海面、  ３６：重量調整用ウエイト、  ３７：海岸線、  ３８：海面、  ３９：陸地、  ４０：貯水プール、  ４１冷却水導入口、  ４２：護岸  
【図１】
2006161372.tif 000003
【図２】
2006161372.tif 000004
【図３】
2006161372.tif 000005
【図４】
2006161372.tif 000006
【図５】
2006161372.tif 000007
【図６】
2006161372.tif 000008
【図７】
2006161372.tif 000009
【図８】
2006161372.tif 000010
【図９】
2006161372.tif 000011